(57)【特許請求の範囲】
【請求項１】
複数の画像データを入力する入力手段と、
前記入力手段により入力された複数の画像データのそれぞれに対して、白紙ページか否か判定する判定手段と、
前記判定手段により白紙ページと判定された画像データのプレビュー画像の表示形態と前記判定手段により白紙ページと判定されなかった画像データのプレビュー画像の表示形態とを区別して、前記入力手段により入力された画像データのプレビュー画像を表示画面に表示させる表示制御手段と、
前記表示制御手段により前記表示画面に表示されている少なくとも２ページの画像データのプレビュー画像のうち、選択された画像データのプレビュー画像に対して、表示形態の変更を指示することで、該指示を受けたプレビュー画像に対応する前記画像データの前記判定手段による判定結果を変更する変更手段と、  前記表示制御手段により前記表示画面に表示されている少なくとも２ページのプレビュー画像を、前記入力手段により入力された複数の画像データのうち前記少なくとも２ページのプレビュー画像よりも前又は後に取得された画像データのプレビュー画像に切り替える切り替え手段と、
を有し、
前記切り替え手段により前記表示画面に表示されている少なくとも２ページのプレビュー画像が切り替えられる際、前記表示画面に表示される少なくとも２ページのプレビュー画像の中に白紙ページと判定された画像データのプレビュー画像がある場合、前記切り替え手段によるプレビュー画像の切り替えを停止し、前記白紙ページと判定された画像データのプレビュー画像を表示することを特徴とする画像処理装置。
【請求項２】
前記変更手段は、前記表示画面に表示されている少なくとも２ページの画像データのプレビュー画像のうち、選択された画像データのプレビュー画像に対して表示形態の変更を指示することで、該指示を受けたプレビュー画像に対応する前記画像データの前記判定手段による判定結果を白紙ではないページから白紙ページへ変更することを特徴とする請求項１に記載の画像処理装置。
【請求項３】
前記変更手段は、前記表示画面に表示されている少なくとも２ページの画像データのプレビュー画像のうち、選択された画像データのプレビュー画像に対して表示形態の変更を指示することで、該指示を受けたプレビュー画像に対応する前記画像データの前記判定手段による判定結果を白紙ページから白紙ではないページへ変更することを特徴とする請求項１に記載の画像処理装置。
【請求項４】
前記表示制御手段は、前記判定手段により白紙ではないと判定された画像データのプレビュー画像を第１の表示形態で前記表示画面に表示させ、前記判定手段により白紙と判定された画像データのプレビュー画像を第２の表示形態で前記表示画面に表示させ、
前記表示画面に対して、前記第１の表示形態で表示されるプレビュー画像の表示形態を前記第２の表示形態で表示するよう変更する指示がされた場合、
前記変更手段は、前記プレビュー画像に対応する画像データの判定結果を白紙ではないページから白紙ページへと変更することを特徴とすることを特徴とする請求項１に記載の画像処理装置。
【請求項５】
前記表示制御手段は、前記判定手段により白紙ではないと判定された画像データのプレビュー画像を第１の表示形態で表示画面に表示させ、前記判定手段により白紙と判定された画像データのプレビュー画像を第２の表示形態で表示画面に表示させ、
前記表示画面に対して、前記第２の表示形態で表示されるプレビュー画像の表示形態を前記第１の表示形態で表示するよう変更する指示がされた場合、
前記変更手段は、前記プレビュー画像に対応する画像データの判定結果を白紙ページから白紙ではないページへ変更することを特徴とすることを特徴とする請求項１に記載の画像処理装置。
【請求項６】
前記変更手段により変更された結果に応じて、前記表示制御手段は前記プレビュー画像を表示画面に表示させることを特徴とする請求項１に記載の画像処理装置。
【請求項７】
前記変更手段により前記プレビュー画像に対して表示形態を変更する指示は、前記表示画面のタッチパネルに対するフリック操作により実行されることを特徴とする請求項１に記載の画像処理装置。
【請求項８】
前記表示画面に前記少なくとも２ページの画像データのプレビュー画像が水平方向に並んでいる場合、前記第２の表示形態とは、前記第１の表示形態で表示される画像データのプレビュー画像に対して垂直方向にずれた位置に表示される表示形態であり、
前記表示画面に前記少なくとも２ページの画像データのプレビュー画像が垂直方向に並んでいる場合、前記第２の表示形態とは、前記第１の表示形態で表示される画像データのプレビュー画像に対して水平方向にずれた位置に表示される表示形態であることを特徴とする請求項４又は５に記載の画像処理装置。
【請求項９】
前記表示画面のタッチパネルに対する操作方法を設定する設定手段と、
前記設定された操作方法により前記表示画面のタッチパネルに対して指示を行うことを特徴とする請求項１記載の画像処理装置。
【請求項１０】
複数の画像データを入力する入力ステップと、
前記入力ステップにて入力された複数の画像データのそれぞれに対して、白紙ページか否か判定する判定ステップと、
前記判定ステップにて白紙ページと判定された画像データのプレビュー画像の表示形態と前記判定ステップにて白紙ページと判定されなかった画像データのプレビュー画像の表示形態とを区別して、前記入力ステップにて入力された画像データのプレビュー画像を表示画面に表示させる表示制御ステップと、
前記表示画面に表示されている少なくとも２ページの画像データのプレビュー画像のうち、選択された画像データのプレビュー画像に対して、表示形態の変更を指示することで、該指示を受けたプレビュー画像に対応する前記画像データの前記判定ステップによる判定結果を変更する変更ステップと、
前記表示画面に表示されている少なくとも２ページのプレビュー画像を、前記入力ステップにて入力された複数の画像データのうち前記少なくとも２ページのプレビュー画像よりも前又は後に取得された画像データのプレビュー画像に切り替える切り替えステップと、
を有し、
前記表示画面に表示されている少なくとも２ページのプレビュー画像が切り替えられる際、前記表示画面に表示される少なくとも２ページのプレビュー画像の中に白紙ページと判定された画像データのプレビュー画像がある場合、前記プレビュー画像の切り替えを停止し、前記白紙ページと判定された画像データのプレビュー画像を表示することを特徴とする画像処理方法。
【請求項１１】
コンピュータに請求項１０の制御方法を実行させるためのプログラム。
【発明の詳細な説明】
【技術分野】
【０００１】
本発明は処理対象の画像データが、印字情報を有する画像データであるか、印字情報を有さない画像データであるか判定する画像処理装置に関する。
【背景技術】
【０００２】
デジタル複写機等の画像読取装置で原稿の読み取りを行う際、光学系の位置を固定し、自動原稿搬送装置（ＡＤＦ：Ａｕｔｏ  Ｄｏｃｕｍｅｎｔ  Ｆｅｅｄｅｒ）によって原稿を搬送させながら読み取ることで画像データを取得する手法がある。
【０００３】
従来、自動原稿読取装置付きの複合機では、用紙の両面に印字された原稿と用紙の片面のみに印字された原稿が混載されていた場合でも、用紙の両面に対して読み取りを行っている。しかしながら、この方法では用紙の片面のみに印字された原稿の裏である用紙の白紙面も読み取ることになる。その結果、印字情報がない白紙を読み取ることで不要なデータを処理することになる。これにより、無駄な紙の消費や電力消費が発生することになる。この問題に対し読み取った原稿が印字情報のない白紙でるか否かを判定し、白紙と判定された原稿を読み取ることで得られた画像データを削除する白紙スキップ機能が設けられている。
【０００４】
この白紙スキップ機能を用いて取得した画像データの出力を行うと、白紙と判定された原稿から得られた画像データが削除される。この白紙スキップ機能により実行された白紙判定が正確であったか否かを事前に確認するため、画像データを出力する前に使用者が白紙の原稿から得られた画像データと判定された画像データの確認を行っている。
【０００５】
特許文献１では、白紙の原稿を読み取ることで得られた画像データの確認を行うために、白紙の原稿を読み取ることで取得された画像データのプレビュー画像を表示するか否かを切り替えてプレビュー表示を行うことが可能な画像処理装置が提案されている。
【先行技術文献】
【特許文献】
【０００６】
【特許文献１】特開２０１０‐０５６８０３号公報
【特許文献２】特開２０１０−２５８７９８号公報
【発明の概要】
【発明が解決しようとする課題】
【０００７】
しかしながら、特許文献１に記載の発明では、白紙と判定された原稿から得られた画像データのプレビュー画像をプレビュー時に非表示とした場合、どの原稿が白紙と判定されたのかがわからない。また、白紙と判定された原稿が、読み取った原稿全体のうちの何ページ目に位置しているのかを確認することが困難である。つまり使用者は白紙と判定された原稿を読み取ることで得られた画像データのプレビュー画像の表示と非表示を画面上で切り替えながら、どの画像データのプレビューが非表示となったかを確認する必要があった。また、どの原稿が白紙と判定されたのかがわからないため、白紙と判定された画像データに対する判定結果を変更修正するための操作も複雑であった。
【０００８】
そこで本発明は、一度に複数の画像データのプレビューを表示する表示制御装置において、白紙原稿から取得した画像データであると判定された画像データが、取得した複数の画像データ全体のうちどこに位置しているのかを明確にすることを目的とする。また、表示画面に対して、操作を行うことで容易に白紙判定結果を変更することを可能にすることを目的とする。
【課題を解決するための手段】
【０００９】
上記課題を解決すべく本発明の画像処理装置は、複数の画像データを入力する入力手段と、前記入力手段により入力された複数の画像データのそれぞれに対して、白紙ページか否か判定する判定手段と、前記判定手段により白紙ページと判定された画像データのプレビュー画像の表示形態と前記判定手段により白紙ページと判定されなかった画像データのプレビュー画像の表示形態とを区別して、前記入力手段により入力された画像データのプレビュー画像を表示画面に表示させる表示制御手段と、前記表示制御手段により前記表示画面に表示されている少なくとも２ページの画像データのプレビュー画像のうち、選択された画像データのプレビュー画像に対して、表示形態の変更を指示することで、該指示を受けたプレビュー画像に対応する前記画像データの前記判定手段による判定結果を変更する変更手段と、前記表示制御手段により前記表示画面に表示されている少なくとも２ページのプレビュー画像を、前記入力手段により入力された複数の画像データのうち前記少なくとも２ページのプレビュー画像よりも前又は後に取得された画像データのプレビュー画像に切り替える切り替え手段と、を有し、 前記切り替え手段により前記表示画面に表示されている少なくとも２ページのプレビュー画像が切り替えられる際、前記表示画面に表示される少なくとも２ページのプレビュー画像の中に白紙ページと判定された画像データのプレビュー画像がある場合、前記切り替え手段によるプレビュー画像の切り替えを停止し、前記白紙ページと判定された画像データのプレビュー画像を表示することを特徴とする。
【発明の効果】
【００１０】
本発明によれば、白紙と判定された原稿が読み取った原稿全体のうちどこに位置しているか認識しやすくなり、使用者が必要な原稿に対応する画像データのみの出力（印字出力、保存、送信など）を容易にすることが可能となる。また、表示画面に対して操作を行うことで容易に白紙判定結果を変更することが可能となる。
【図面の簡単な説明】
【００１１】
【図１】実施形態１に係る画像処理装置の構成の一例を示すブロック図である。
【図２】画像入力部の内部構成の一例を示すブロック図である。
【図３】操作部１０５の構成の一例を示す平面図である。
【図４】画像表示部３０１に表示される画面の一例を示す図である。
【図５】実施形態１に係る表示制御処理の流れを示すフローチャートである。
【図６】実施形態１に係る表示制御処理の流れを示すフローチャートである。
【図７】実施形態２に係る表示制御処理の流れを示すフローチャートである。
【図８】操作方法を設定する処理の流れを示すフローチャートである。
【発明を実施するための形態】
【００１２】
以下、本発明を実施するための形態について図面を用いて説明する。
【００１３】
（実施形態１）
図１は、本実施形態に係る表示制御装置の一例として画像処理装置１０の構成例を示すブロック図である。図１は、本実施例に係る表示制御装置の一例として画像処理装置１０の構成例を示すブロック図である。制御部１０１は装置全体を制御し、ＣＰＵ（Ｃｅｎｔｒａｌ  Ｐｒｏｃｅｓｓｉｎｇ  Ｕｎｉｔ）等により構成される。制御バス１０２は制御部１０１と各ブロックとを接続する。ＲＯＭ（Ｒｅａｄ  Ｏｎｌｙ  Ｍｅｍｏｒｙ）１０３は、制御部１０１が実行するプログラムが記憶されている。ＲＡＭ（Ｒａｎｄｏｍ  Ａｃｃｅｓｓ  Ｍｅｍｏｒｙ）１０４は、制御部１０１による制御において、制御データの一時記憶、あるいはワークメモリとして使用される。装置の動作を指示する操作部１０５は、ユーザに対する情報の提供やユーザからの指示の受付を行う。例えば、タッチパネルディスプレイによって構成され、ユーザは後述する図３、図４のような操作表示画面を介して、印刷や保存といった所望の処理を行うことができる。操作部１０５がタッチパネルディスプレイである場合、制御部１０１はタッチパネルディスプレイ上でのタッチ操作を検出する。例えば、制御部１０１は、タッチパネルディスプレイが指又はペン等で触れられたこと（以下、タッチダウンと呼ぶ）を検出する。また、制御部１０１は、タッチパネルディスプレイが指又はペン等で触れられている状態であること（以下、タッチオンと呼ぶ）を検出する。さらに、制御部１０１は、タッチパネルディスプレイが指又はペン等で触れられた状態で指等が移動していること（以下、ムーブと呼ぶ）を検出する。加えて、制御部１０１は、タッチパネルディスプレイに触れていた指又はペン等が離されたこと（以下、タッチアップと呼ぶ）を検出する。そして、制御部１０１は、タッチパネルディスプレイが何からも触れられていない状態（以下、タッチオフと呼ぶ）を検出する。タッチパネルディスプレイ上のタッチ操作及びタッチ操作の位置（以下、位置座標と呼ぶ）が制御バス１０２を介してタッチ検出信号として制御部１０１に通知される。制御部１０１は、タッチ検出信号に応じてタッチパネルディスプレイ上でどのようなタッチ操作が行なわれたかについて判定する。
【００１４】
ムーブを例にとると、制御部１０１は、タッチ検出信号に応じて、タッチパネルディスプレイ上で指又はペン等が移動していると判定すると、ムーブであると判断することになる。そして、タッチパネル上における指等の移動方向についても、位置座標の変化に応じて、制御部１０１はタッチパネル上の垂直成分・水平成分毎に判定することができる。
【００１５】
また、タッチパネルディスプレイ上においてタッチダウンから一定のムーブを経て、タッチアップした場合、これら一連のタッチ操作を、ストロークを描いたとする。このストロークを描くタッチ操作を素早く行う、タッチパネルディスプレイを指で払うような操作をフリックと呼ぶ。
【００１６】
このフリックは、タッチパネルに指等を触れたままの状態で、ある程度の距離だけ指等を素早く動かした後、タッチパネルから指等を離すタッチ操作である。つまり、フリックは、タッチパネル上を指等で弾くように素早くなぞるタッチ操作である。
【００１７】
従って、制御部１０１は、タッチ検出信号に応じて、所定の距離以上、所定の速度以上でムーブしたことを検出した後、続けてタッチアップを検出すると、フリックが行われたと判定する。
【００１８】
また、制御部１０１は、所定距離以上、所定速度未満でムーブしたことを検出すると、ドラッグが行われたと判定する。
【００１９】
画像入力部１０６は原稿から画像データの読み取りを行う。
【００２０】
この記憶部１０８は以下により構成される。例えば、ハードディスクドライブ（ＨＤＤ：Ｈａｒｄ  Ｄｉｓｋ  Ｄｒｉｖｅ）、ソリッドステートドライブ（ＳＳＤ：Ｓｏｌｉｄ  Ｓｔａｔｅ  Ｄｒｉｖｅ）、ＤＤＲ−ＳＤＲＡＭ（Ｄｏｕｂｌｅ  Ｄａｔａ  Ｒａｔｅ  Ｓｙｎｃｈｒｏｎｏｕｓ  ｄｙｎａｍｉｃ  Ｒａｎｄｏｍ  Ａｃｃｅｓｓ  Ｍｅｍｏｒｙ）等により構成される。画像出力部１０９は、画像処理部１０７によって処理された画像データを印字出力する。画像送信部１１０は、画像入力部１０６によって読み取った原稿の画像データや画像処理部１０７によって処理された画像データ、あるいは記憶部１０８に記憶した画像データを送信する。ＤＭＡＣ（Ｄｉｒｅｃｔ  Ｍｅｍｏｒｙ  Ａｃｃｅｓｓ  Ｃｏｎｔｒｏｌｌｅｒ）１１１は、制御部１０１の制御に基づき、画像入力部１０６、画像処理部１０７、記憶部１０８、画像出力部１０９、画像送信部１１０間のデータ転送制御を行う。１１２はＤＭＡＣ１１１によるデータ転送を行う。通信網１１３は画像送信部１１０に接続される装置外部の通信網（ＬＡＮ：Ｌｏｃａｌ  Ａｒｅａ  Ｎｅｔｗｏｒｋ等）である。
【００２１】
画像入力部１０６の構成に関して、別図を用いて説明する。図２は画像入力部１０６の内部構成を示す図である。同図において、１０６１は読取デバイスであり、ＣＣＤ、ＣＭＯＳ、あるいはＣＩＳにより構成される。原稿は読取デバイス１０６１を介して読み取られ、原稿を読み取ることで得られたアナログの画像データが後段処理部に対して出力される。１０６２はＡ／Ｄ変換部であり、読み取りデバイス１０６１による読み取りデータをデジタル変換する。１０６３は読取画像処理部であり、読み取った画像データのハイライト部（白）およびダーク部（黒）のレベルを合わせるシェーディング補正、ＭＴＦ（Ｍｏｄｕｌａｔｉｏｎ  Ｔｒａｎｓｆｅｒ  Ｆｕｎｃｔｉｏｎ）補正、高周波抑制処理等の処理が行われる。１０６４は白紙判定部であり、読取画像処理部１０６３により処理された画像データを参照し、読み取られた画像データが白紙であるか否かの判定を行う。
【００２２】
＜白紙判定方法＞
白紙判定部１０６４による白紙の判定方法は、例えば、読取画像処理部１０６３により処理された画像データの輝度値の頻度分布を用いて判定する。白紙判定部１０６４は、読取画像処理部１０６３が出力する画像データをもとに、原稿１枚分を読み取ることで得た読取画像データの頻度分布を生成する。そして、生成された頻度分布から平均値、分散値を求める。分散値を求める理由は、原稿の読み取り画像データに有意な情報（白紙ではない情報）が含まれている場合、算出された分散値が大きくなる特徴を用いるためである。
【００２３】
本実施例では白紙判定の方法として頻度分布を使用する方法について述べたがこれに限定されるものではない。例えば読取画像データのエッジを検出する処理部を設け、エッジと判定された画素を計数し、その計数値に応じて白紙の判定をするようにしても良い。また、頻度分布、分散値、エッジ数を組み合わせて白紙の判定をするようにしても良い。
【００２４】
また、ここで白紙とは印字情報（すなわちコンテンツ）がないと判定された原稿を指す。印字情報がなければ、色紙のような色付きの原稿や再生紙も白紙として扱う。すなわち白紙判定とは、原稿に印刷されたコンテンツの有無の判定である。また、これらを読み取った際の画像データ、読み取った際の裏写りのみの画像データも以下では白紙と呼ぶ。一方で少量の文字や網点で印字された薄い文字等で記載されている原稿は白紙ではない。手書きまたはプリンタで印字された印字情報を含む用紙を読み取った画像データはコンテンツデータと呼ぶ。画像入力部１０６は、読み取った画像データに対して読取画像処理部１０６３により処理を施した画像データと、白紙判定部１０６４による白紙判定結果を出力する。
【００２５】
画像入力部１０６の出力データ、および白紙判定結果は、制御部１０１の制御に基づき、ＤＭＡＣ１１１により記憶部１０８に転送される。記憶部１０８は、ＤＭＡＣ１１１を介して転送された画像データ、および白紙判定結果を一時保存する。
【００２６】
記憶部１０８に保持された画像データ、および白紙判定結果を元に画像処理部１０７はプレビュー表示用の画像データを生成する。
【００２７】
図３は図１に示した操作部１０５の構成の一例を説明する平面図である。
【００２８】
図において、画像表示部３０１は、液晶パネル、あるいは有機ＥＬパネルなどで構成され後述する接触検知部３１１とともにタッチパネルディスプレイを構成する。スタートキー３０２は原稿の読み取り動作の開始指示をするとき等に用いられる。ストップキー３０３は稼働中の動作を止める指示をする時に用いられる。テンキー３０４は、数字と文字のボタン群で構成されており、コピー部数の設定や画像表示部３０１の画面切り替えを指示するために用いられる。
【００２９】
接触検知部３１１は、画像表示部３０１に配置されることで、前述したタッチダウン、タッチオン、ムーブ、タッチアップ、タッチオフ、フリック、ドロップ等の操作を検出できる。
【００３０】
＜プレビュー画面＞
図４（ａ）は画像表示部３０１に表示されるプレビュー画面の一例を示す図である。図４（ａ）は白紙判定機能がＯＮの状態におけるプレビュー表示の一例である。白紙判定機能がＯＦＦの状態である場合は、通常のプレビュー表示が行われる。通常のプレビュー表示では、どの画像データのプレビュー画像も同様の表示位置にて表示される。
【００３１】
プレビュー画像表示部４０１は、画像処理部１０７にて生成されたプレビュー表示用の画像データを表示するための領域である。この領域をフリックすることで、前のプレビュー画像、次のプレビュー画像表示を行うことが可能である。プレビュー画像４０２、４０３、４０４、４０５は生成されたプレビュー表示用の画像で、プレビュー画像４０４は白紙判定部１０６４により白紙と判定された画像データのプレビュー画像を表している。白紙と判定された画像データのプレビュー画像は、白紙と判定されていない画像データのプレビュー画像の表示位置（第１の表示位置）とは異なり、図４（ａ）で示すように第１の表示位置から垂直方向にずれた表示位置（第２の表示位置）で表示される。白紙と判定されていない画像データのプレビュー画像の位置（第１の表示位置）は、白紙判定機能がＯＦＦである場合と同様の表示位置である。
【００３２】
また、図４（ａ）とは異なり、プレビュー画像表示部４０１にて、プレビュー画像が垂直方向に並んでいる場合、白紙と判定された画像データのプレビュー画像の表示位置（第２の表示位置）は、第１の表示位置から水平方向にずれた表示位置である。
【００３３】
また、このとき表示部にて白紙と判定された画像データのプレビュー画像に対して削除される予定の画像データである旨を記すような表示をしてもよい。ボタン４０６は、前のプレビュー画像を表示するためのボタンである。ボタン４０７は、次のプレビュー画像を表示するためのボタンである。スクロールバー４０８上にあるスライダー４０９は、プレビュー画像表示部４０１に表示されているプレビュー画像で示される画像データが、取得された画像データ全体のうちどのあたりに位置しているのかを表している。スライダー４０９をタッチオン、ムーブ操作をすることでプレビュー画像表示を切り替えることも可能である。白紙判定画像位置４１０は、白紙と判定された画像データの位置を表している。フリック操作やボタン操作、タッチオン／ムーブ操作によりスクロールバーを白紙判定画像位置４１０の位置に合わせると、次に白紙と判定された画像データの確認を行うことが可能となる。本実施例では、フリック操作やボタン操作、タッチオン／ムーブ操作によりプレビューページめくりを可能としたが、フリック操作のみ、ボタン操作のみ、タッチオン／ムーブ操作のみにし、使用する操作方法をいずれかから選択可能にしてもよい。
【００３４】
図８のフローチャートを使用して操作方法に応じて表示形態を変える処理について説明する。なお、本フローチャートの各ステップにおける動作は、ＲＯＭ１０３に格納されるプログラムを制御部１０１がＲＡＭ１０４に展開し実行することにより実現する。
【００３５】
まず、Ｓ８０１にて制御部１０１は記憶部１０８などから操作方法の設定を読み出す。操作方法は、フリック操作のみ、ボタン操作のみ、タッチオン／ムーブ操作のみ、またはその組み合わせなどを表している。機器使用時に入力方法を指定できるようにしてもよいし、都度の操作で指定できるようにしてもよい。またユーザごとに操作方法の設定を紐づけて予め指定できるようにしてもよい。次にＳ８０２にて、制御部１０１は操作方法の設定内容を呼び出すと指定された入力方法に応じてプレビュー画面を表示する。図４（ｃ）はボタン操作のみにした場合の表示形態の一例を表しており、ボタン操作のみで操作を行うことが可能となる。すなわち、画面上に表示されたボタンを操作することで指示を行う。
【００３６】
次に図５のフローチャートを使用して、プレビュー画像表示部４０１に画像処理部１０７にて生成されたプレビュー表示用の画像データを表示する処理手順について説明する。なお、本フローチャートの各ステップにおける動作は、ＲＯＭ１０３に格納されるプログラムを制御部１０１がＲＡＭ１０４に展開し実行することにより実現する。
【００３７】
まずＳ５０１にて、図４（ａ）の画面を表示する際に制御部１０１は画像処理部１０７にて記憶部１０８に保持されている画像データおよび白紙判定結果を元に、プレビュー表示用の画像データを生成する。そして、Ｓ５０２にて制御部１０１はプレビュー表示用の画像データの最初の画像データが白紙と判定されたか否を判断する。Ｓ５０２にて白紙判定されていない画像データと判定された場合、Ｓ５０３にて制御部１０１は通常の表示位置でプレビュー画像データを表示する。
【００３８】
Ｓ５０２において、白紙の画像データであると判定された場合、Ｓ５０４にて制御部１０１は、プレビュー画像の表示位置をＳ５０３の表示位置とは異なる位置に変更し、Ｓ５０３へ進みプレビュー画像を表示する。次にＳ５０６に進み、制御部１０１は次に処理すべきプレビュー画像があるか否かを判断する。次も処理すべき画像がある場合、次のプレビュー表示用の画像が白紙と判定された画像データか否か判断する（Ｓ５０２）。次画像がない場合、処理を終了する。
【００３９】
このように、白紙と判定された画像データのプレビュー画像と白紙と判定されていない画像データのプレビュー画像との表示位置を異ならせることで、全画像データのうち、どの画像データが白紙と判定されたのかの確認が容易となる。取得した画像データ全体において、白紙と判定された画像データの位置（白紙原稿位置）の確認が容易となる。また、スクロールバー上に白紙と判定された画像データのプレビュー画像位置を表示することで、次の白紙と判定された画像の確認も容易となる。
【００４０】
次に図６のフローチャートを使用してプレビュー表示用の画像データの編集処理について説明する。なお、本フローチャートの各ステップにおける動作は、ＲＯＭ１０３に格納されるプログラムを制御部１０１がＲＡＭ１０４に展開し実行することにより実現する。
まず、Ｓ６０１にて制御部１０１は白紙判定結果変更指示があったか否かを判断する。具体的には、図４（ａ）を例に説明をすると、制御部１０１は接触検知部３１１より白紙と判定された画像データのプレビュー画像４０４に対するタッチオンが検知されたか否か判断する。
【００４１】
また、白紙と判定されていない画像データのプレビュー画像４０４に対する表示開始位置方向（下位方向）へのムーブによるフリック操作が検知されたか否か判断する。
【００４２】
または白紙判定されていない画像データのプレビュー画像４０２、４０３、４０５のいずれかに対するタッチオンが検知されたか否かを判断する。
【００４３】
また、白紙判定されていない画像データのプレビュー画像４０２、４０３、４０５のいずれかに対するプレビュー画像表示開始位置方向（上位方向）へのムーブによるフリック操作が検知されたか否かを判断する。
【００４４】
このような白紙判定結果変更があった場合、Ｓ６０２にて、制御部１０１は選択されたプレビュー画像に対応する画像データの白紙判定結果が白紙判定有なのか白紙判定無なのか判断する。Ｓ６０２にて白紙判定されている画像データであると判断された場合、Ｓ６０３に進む。そして、制御部１０１は選択された画像データに該当する記憶部１０８に保持されている白紙判定結果を白紙判定有から白紙判定無へと書き変える。
【００４５】
Ｓ６０２にて、白紙判定されていない画像データであると判断された場合、Ｓ６０４４へ進む。そして、制御部１０１は選択された画像データに該当する記憶部１０８に保持されている白紙判定結果を白紙判定無から白紙判定有へと書き変える。
【００４６】
そして、制御部１０１は図５のフローチャートに示した処理に基づき、プレビュー画像表示部の再描画を行う。この際、白紙と判定された画像データのプレビュー画像４０４以外に白紙判定された同様の画像データに対して、同じ処理を行うのか否かの確認画面を表示してもよい。
【００４７】
図４（ｂ）はそのような操作により再描画された表示画面の一例を表している。プレビュー画像４０４に対応する画像データの判定結果が白紙判定無と変更されたため、プレビュー画像４０４１は、通常のプレビュー画像表示開始位置に表示される。プレビュー画像４０３１はプレビュー画像４０３に対応する画像データの判定結果白紙判定有と変更されたため、白紙判定されている画像データのプレビュー画像表示開始位置から表示される。
【００４８】
制御部１０１はスタートキー３０２の押下を検出すると、記憶部１０８に保持された画像データは白紙と判定されている画像データを除外しＤＭＡＣ１１１により画像処理部１０７に転送し、印字や送信といった出力処理を行う。
【００４９】
本実施形態では、タッチオン、ムーブ、フリックでの操作を使用して説明を行ったが、操作方法は限定しない。図４（ｃ）はボタン操作による操作の一例で、プレビュー画像上に表示されたボタン４３１、４３２、４３３、４３４は白紙判定結果変更を指示するためのボタンを表している。
【００５０】
このように簡易な操作で、白紙判定された画像データに対する判定結果を変更し出力対象にすることや、出力対象の画像データに対する判定結果を変更し非出力対象の画像データに変更することができる。これにより、取得した画像データの編集に伴う操作性が向上する。
【００５１】
（実施形態２）
制御部１０１は図４（ａ）の４０１プレビュー画像表示部においてフリックを検出すると、フリックの速度に合わせてプレビュー画像を切り替えて表示する。
【００５２】
高速でフリック操作を行った場合、白紙判定された画像データの表示位置をずらして表示したり、白紙画像位置を示すスクロールバー４０８で白紙判定された画像の位置を表示したりしても、ユーザが見逃してしまう可能性がある。それを防ぐための制御について、図７のフローチャートを使用して、プレビュー画像表示部４０１に画像処理部１０７にて生成されたプレビュー表示用の画像データを表示する処理手順について説明する。
【００５３】
なお、本フローチャートの各ステップにおける動作は、ＲＯＭ１０３に格納されるプログラムを制御部１０１がＲＡＭ１０４に展開し実行することにより実現する。
【００５４】
まず、Ｓ７０１にて制御部１０１は図４（ａ）のプレビュー画像表示部４０１の領域においてフリックが行われたか否かを接触検知部３１１より検出する。フリックが行われたと検出されると、Ｓ７０２に進む。そして、Ｓ７０２にて、制御部１０１は表示を行う複数のプレビュー画像データ内に白紙判定された画像があるか否かを判断する。Ｓ７０２にて、表示を行う複数のプレビュー画像データ内に白紙判定された画像がないと判断された場合は、Ｓ７０３に進む。そして、Ｓ７０３にてフリック速度に応じたプレビュー画像の表示を行う。Ｓ７０２において、白紙と判定された画像データが含まれると判断された場合、Ｓ７０４に進み、最初に白紙判定された画像データで停止したプレビュー画像の表示を行う。
【００５５】
このように、白紙と判定されたプレビュー画像でプレビューを停止することにより、高速でフリック操作を行って表示されるプレビュー画像を変更した場合でも白紙判定された画像を確実に確認することが可能となる。本実施例では、フリックを元に説明を行ったがボタン長押しによる連続ページめくりで操作を行うプレビュー表示時などでも実施することが可能である。
【００５６】
（その他の実施例）
本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0006021751.tif 000002
【図２】
0006021751.tif 000003
【図３】
0006021751.tif 000004
【図４】
0006021751.tif 000005
【図５】
0006021751.tif 000006
【図６】
0006021751.tif 000007
【図７】
0006021751.tif 000008
【図８】
0006021751.tif 000009